(57)【要約】      （修正有）【課題】構造強度と耐久性を向上させることができる基板コネクタアッセンブリ、そのレセプタクルコネクタ及びプラグコネクタを提供する。【解決手段】基板コネクタアッセンブリはレセプタクルコネクタＡとプラグコネクタＢを有する。レセプタクルコネクタは、第１の絶縁ハウジング１０、第１の絶縁ハウジングの２つの対向端部にそれぞれ取り付けられる２組の第１の端子２０及び２つの第１の金属補強部材３０を有する。プラグコネクタは、レセプタクルコネクタと着脱自在に係合し、第２の絶縁ハウジング５０、第２の絶縁ハウジングの２つの対向端部にそれぞれ取り付けられる２組の第２の端子６０及び２つの第２の金属補強部材７０を有する。第１の金属補強部材及び第２の金属補強部材はレセプタクルコネクタとプラグコネクタの構造強度と耐久性を向上させる。【選択図】図２
0003206448.tif 000002
【実用新案登録請求の範囲】
【請求項１】
レセプタクルコネクタを備え、前記レセプタクルコネクタは、
第１の絶縁ハウジングを備え、前記第１の絶縁ハウジングは、
前記第１の絶縁ハウジング内に形成され、空洞内に形成される２つの対向取付スロットを有する当該空洞と、
前記第１の絶縁ハウジングの２つの対向端部上にそれぞれ形成される２つの端部取付部とを有し、各々の端部取付部は、
端部取付セクションと、
前記端部取付セクションに接続される２つの側部セクションとを有し、前記レセプタクルコネクタは、
前記第１の絶縁ハウジングの前記取付スロットに対応し、かつ前記第１の絶縁ハウジングの前記取付スロット内に対向してそれぞれ取り付けられる２組の複数の第１の端子と、
前記第１の絶縁ハウジングの前記端部取付部に対応し、かつ前記第１の絶縁ハウジの前記端部取付部上にそれぞれ取り付けられる２つの第１の金属補強部材とを備え、各々の第１の金属補強部材は、
対応する端部取付部の前記端部取付セクション上に取り付けられ、中央セクション上に形成され、かつ前記中央セクションから突出し、前記端部取付セクションの外壁上に埋め込まれる外側端部クランプタブを有する当該中央セクションと、
それぞれ前記中央セクションの２つの対向端部上に形成され、かつ前記中央セクションの２つの対向端部から突出し、前記対応する端部取付部の前記側部セクションに対応し、かつ前記対応する端部取付部の前記側部セクションに埋め込まれる２つの対向延長セクションとを有し、前記各々の延長セクションは、
前記延長セクション上に形成され、かつ前記延長セクションから突出し、対応する側部セクションの外壁内に埋め込まれる外側クランププレートと、
前記延長セクション上に形成され、かつその延長セクションから突出し、対応する側部セクションの内壁内に埋め込まれる内側クランププレートとを有し、
前記レセプタクルコネクタに着脱可能に係合するプラグコネクタを備え、前記プラグコネクタは、
前記第１の絶縁ハウジングに着脱自在に係合する第２の絶縁ハウジングを備え、前記第２の絶縁ハウジングは、
前記第２の絶縁ハウジング上に形成され、前記第１の絶縁ハウジングの前記取付スロット内に着脱可能にそれぞれ取り付けられる２つの取付リブと、
前記第２の絶縁ハウジングの２つの対向端部上にそれぞれ形成される２つの端部組立部とを有し、各々の端部組立部は端部外壁及び２つの側部外壁を有し、前記プラグコネクタは、
前記第２の絶縁ハウジングの前記取付リブに対応し、かつ前記第２の絶縁ハウジングの前記取付リブ上にそれぞれ取り付けられ、前記第１の端子に対応し、かつ前記第１の端子にそれぞれ係合する２組の第２の端子と、
前記第２の絶縁ハウジングの前記端部組立部に対応し、かつ前記第２の絶縁ハウジングの前記端部組立部内にそれぞれ埋め込まれ、前記第１の金属補強部材に対応する２つの第２の金属補強部材とを備え、各々の第２の金属補強部材は、
対応する端部組立部の上部内に埋め込まれる上部カバープレートと、
前記上部カバープレート上に形成され、対応する端部組立部の端部外壁内に埋め込まれる端部カバープレートと、
前記上部カバープレート上に形成され、対応する端部組立部の側部外壁内にそれぞれ埋め込まれる２つの対向側部カバープレートと
を有することを特徴とする基板コネクタアッセンブリ。
【請求項２】
各々の第１の金属補強部材の前記中央セクションは、前記中央セクション上に形成され、かつ前記中央セクションから突出し、前記端部取付セクションの内壁内に埋め込まれ、外側端部クランプタブと協働して端部取付セクションをクランプする少なくとも１つの内側端部クランプタブを有することを特徴とする請求項１記載の基板コネクタアッセンブリ。
【請求項３】
各々の第１の金属補強部材の前記中央セクションの前記外側端部クランプタブは、前記外側端部クランプタブの２つの対向側部上に形成され、かつ前記外側端部クランプタブの２つの対向側部から突出し、前記端部取付セクションの前記外壁内に埋め込まれる２つの位置決め突起を有することを特徴とする請求項２記載の基板コネクタアッセンブリ。
【請求項４】
前記第１の絶縁ハウジングの各々の端部取付部の各々の側部セクションは前記側部セクションの外面上に形成される取付突起を有し、前記第１の補強部材金属の各々の延長セクションの外側クランププレートは外側クランププレートを通って形成され、対応する側部セクションの取付突起の周りに取り付けられるスルーホールを有することを特徴とする請求項３記載の基板コネクタアッセンブリ。
【請求項５】
各々の第１の金属補強部材の各々の内側クランププレートは前記内側クランププレート内に形成される位置決め切欠を有し、各々の第２の金属補強部材の各々の側部カバープレートは前記側部カバープレート上に形成され、対応する第１の金属補強部材の対応する内側クランププレートの位置決め切欠と係合する位置決めボスを有することを特徴とする請求項４記載の基板コネクタアッセンブリ。
【請求項６】
各々の第２の金属補強部材の各々の側部カバープレートは、前記側部カバープレート上に形成され、かつ前記側部カバープレートから突出し、対応する端部組立部の側部外壁内に埋め込められる延伸埋め込みタブを有することを特徴とする請求項５記載の基板コネクタアッセンブリ。
【請求項７】
各々の第２の金属補強部材の各々の側部カバープレートは前記側部カバープレートに形成される半田付け脚を有することを特徴とする請求項６記載の基板コネクタアッセンブリ。
【請求項８】
各々の第２の金属補強部材の前記端部カバープレートは前記端部カバープレートの２つの対向側部上にそれぞれ形成され、前記第２の絶縁ハウジング内に突出る２つの端部を有することを特徴とする請求項７記載の基板コネクタアッセンブリ。
【請求項９】
前記第１の絶縁ハウジングは、前記空洞の内面上に形成され、かつ前記空洞の内面から突出し、前記取付スロットの間に配置される組立伸長突起を有することを特徴とする請求項８記載の基板コネクタアッセンブリ。
【請求項１０】
各々の第１の端子は、
前記第１の絶縁ハウジングの底部に取り付けられる第１の取付セクションと、
前記第１の取付セクション上に形成され、かつ前記第１の取付セクションから突出し、前記第１の絶縁ハウジング内に埋め込められる埋め込みセクションと、
前記第１の取付セクション上に形成され、かつ前記第１の取付セクションから突出し、前記第１の絶縁ハウジングの対応する取付スロット内に取り付けられる２つの対向弾性フックと、
前記第１の取付セクション上に形成され、かつ前記第１の取付セクションから突出し、前記第１の絶縁ハウジングの外に延びる第１の半田付けセクションと
を有することを特徴とする請求項９記載の基板コネクタアッセンブリ。
【請求項１１】
各々の第１の端子の第１の半田付けセクションは前記第１の絶縁ハウジングの底部から突出することを特徴とする請求項１０記載の基板コネクタアッセンブリ。
【請求項１２】
前記第１の絶縁ハウジングは２つの通気スロットを有し、各々の空通気スロットは２つの対向側部の一方と前記第１の絶縁ハウジングの底部との間に形成され、各々の第１の端子の前記第１の取付セクションは前記通気スロットの１つの下部にあることを特徴とする請求項１１記載の基板コネクタアッセンブリ。
【請求項１３】
各々の第２の端子は
対応する取付リブの外に延びる第２の半田付けセクションと、
Ｕ字形であり、前記第２の半田付けセクション上に形成され、かつ前記第２の半田付けセクションから突出し、対応する取付リブ上に取り付けられ、対応する第１の端子の前記弾性フックと着脱可能に係合される弾性アームと
を有することを特徴とする請求項１２記載の基板コネクタアッセンブリ。
【請求項１４】
各々の第２の端子の弾性アームは
対応する第１の端子の前記２つの弾性フックの一方と係合するフック凹部と、
前記フック凹部に対向して前記弾性アーム内に形成され、前記対応する第１の端子の前記２つの弾性フックの他方と係合する切り欠き面と
を有することを特徴とする請求項１３記載の基板コネクタアッセンブリ。
【請求項１５】
第１の絶縁ハウジングを備え、前記第１の絶縁ハウジングは、
前記第１の絶縁ハウジング内に形成され、空洞内に形成される２つの対向取付スロットを有する当該空洞と、
前記第１の絶縁ハウジングの２つの対向端部上にそれぞれ形成される２つの端部取付部とを有し、各々の端部取付部は、
端部取付セクションと、
前記端部取付セクションに接続される２つの側部セクションとを有し、
前記第１の絶縁ハウジングの取付スロットに対応し、かつ前記第１の絶縁ハウジングの取付スロット内に対向してそれぞれ取り付けられる２組の複数の第１の端子と、
前記第１の絶縁ハウジングの前記端部取付部に対応し、かつ前記第１の絶縁ハウジングの前記端部取付部上にそれぞれ取り付けられる２つの第１の金属補強部材とを備え、各々の第１の金属補強部材は、
対応する端部取付部の前記端部取付セクション上に取り付けられ、中央セクション上に形成され、かつ中央セクションから突出し、前記端部取付セクションの外壁上に埋め込まれる外側端部クランプタブを有する当該中央セクションと、
前記中央セクションの２つの対向端部上に形成され、かつ前記中央セクションの２つの対向端部からそれぞれ突出し、対応する端部取付部の側部セクションに対応し、対応する端部取付部の側部セクション内にそれぞれ埋め込まれる２つの対向延長セクションとを有し、各々の延長セクションは、
前記延長セクション上に形成され、かつ前記延長セクションから突出し、対応する側部セクションの外壁内に埋め込まれる外側クランププレートと、
前記延長セクション上に形成され、かつ前記延長セクションから突出し、対応する側部セクションの内壁内に埋め込まれる内側クランププレートと
を有することを特徴とするレセプタクルコネクタ。
【請求項１６】
第２の絶縁ハウジングを備え、前記第２の絶縁ハウジングは、
前記第２の絶縁ハウジング上に形成される２つの取付リブと、
前記第２の絶縁ハウジングの２つの対向端部上にそれぞれ形成される２つの端部組立部とを有し、各々の端部組立部は端部外壁及び２つの側部外壁を有し、
前記第２の絶縁ハウジングの前記取付リブに対応し、かつ前記第２の絶縁ハウジングの前記取付リブ上にそれぞれ取り付けられる２組の第２の端子と、
前記第２の絶縁ハウジングの端部組立部に対応し、かつ前記第２の絶縁ハウジングの端部組立部内にそれぞれ埋め込まれる２つの第２の金属補強部材と
を備え、各々の第２の金属補強部材は、
対応する端部組立部の上部に埋め込まれる上部カバープレートと、
前記上部カバープレート上に形成され、前記対応する端部組立部の端部外壁内に埋め込まれる端部カバープレートと、
前記上部カバープレート上に形成され、前記対応する端部組立部の側部外壁内にそれぞれ埋め込まれる２つの対向側部カバープレートと
を有することを特徴とするプラグコネクタ。
【考案の詳細な説明】
【技術分野】
【０００１】
本考案は、基板コネクタアッセンブリに関し、特に、レセプタクルコネクタ及びプラグコネクタを有する基板コネクタアッセンブリに関する。レセプタクルコネクタ及びプラグコネクタの各々は絶縁ハウジング及び絶縁ハウジングに取り付けられる金属補強部材を有し、絶縁ハウジングがレセプタクルコネクタとプラグコネクタとの間で繰り返される係合及び係脱に因って破損するのを防止する。したがって、基板コネクタアッセンブリの構造強度及び耐久性が向上する。
【背景技術】
【０００２】
基板コネクタアッセンブリは複数の異なる回路基板を接続するために使用され、１つの回路基板にそれぞれに取り付けられるレセプタクルコネクタ及びプラグコネクタを有している。基板コネクタアッセンブリによって、回路基板は電気的に接続される。スマートフォンなどの携帯機器での基板コネクタアッセンブリは著しく小型化され、基板コネクタアッセンブリのレセプタクルコネクタ及びプラグコネクタの夫々の構造強度及び寿命が低下している。
【０００３】
特許文献１［台湾特許出願第095127280号（TW 200725986 A）］は、レセプタクルコネクタ及びプラグコネクタを有する基板コネクタアッセンブリを開示している。レセプタクルコネクタは、第１の絶縁ハウジング及び第１の絶縁ハウジングに取り付けられる複数の第1の端子を有している。プラグコネクタは、第２の絶縁ハウジング及び第２の絶縁ハウジングに取り付けられる複数の第2の端子を有している。しかしながら、第１及び第２の絶縁ハウジングのいずれも補強素材を何ら有していない。繰り返される係合及び係脱の後において、レセプタクルコネクタ及びプラグコネクタは容易に破断、破損される。
【０００４】
特許文献２［台湾特許出願第102145411号（TW I519006 B=JP 2014-203554 A）］は、レセプタクルコネクタ及びプラグコネクタを有する基板コネクタアッセンブリを開示している。レセプタクルコネクタは第１の絶縁ハウジング及び第１の絶縁ハウジングに取り付けられる複数の第1の端子を有している。プラグコネクタは、第２の絶縁ハウジング及び第２の絶縁ハウジングに取り付けられる複数の第2の端子を有している。また、レセプタクルコネクタ及びプラグコネクタの両者は案内部材を有し、両コネクタを精密かつ正確に互いに係合している。しかしながら、レセプタクルコネクタ及びプラグコネクタのいずれも補強素材を何ら有しておらず、基板コネクタアッセンブリはレセプタクルコネクタ及びプラグコネクタの繰り返される係合及び係脱の後において容易に破断される。
【先行技術文献】
【特許文献】
【０００５】
【特許文献１】台湾特許出願第095127280号（TW 200725986 A）
【特許文献２】台湾特許出願第102145411号（TW I519006 B=JP 2014-203554 A）
【考案の概要】
【考案が解決しようとする課題】
【０００６】
本考案の主目的は、レセプタクルコネクタ及びプラグコネクタを有する基板コネクタアッセンブリを提供することである。レセプタクルコネクタ及びプラグコネクタの各々は絶縁ハウジング及び絶縁ハウジングに取り付けられる金属補強部材を有し、絶縁ハウジングがレセプタクルコネクタとプラグコネクタとの間で繰り返される係合及び係脱に因って破損するのを防止する。したがって、基板コネクタアッセンブリの構造強度及び耐久性が向上する。
【課題を解決するための手段】
【０００７】
本考案に係る基板コネクタアッセンブリは、レセプタクルコネクタ及びプラグコネクタを備えている。レセプタクルコネクタは、第１の絶縁ハウジング、第１の絶縁ハウジングの2つの対向端部にそれぞれ取り付けられる２組の第１の端子及び２つの第１の金属補強部材を有している。プラグコネクタは、レセプタクルコネクタと着脱自在に係合し、第２の絶縁ハウジング、第２の絶縁ハウジングの２つの対向端部にそれぞれ取り付けられる２組の第２の端子及び２つの第２の金属補強部材を有している。第１の金属補強部材及び第２の金属補強部材は、レセプタクルコネクタ及びプラグコネクタの構造強度及び耐久性を向上させる。
【０００８】
本考案に係る他の目的、利点及び新規な特徴は、以下の詳細な説明から図面を併せて参照して一層明らかとなる。
【図面の簡単な説明】
【０００９】
【図１】図１は、本考案に係る基板コネクタアッセンブリの斜視図である。
【図２】図２は、図１における基板コネクタアッセンブリの分解斜視図である。
【図３】図３は、図１における基板コネクタアッセンブリの別の斜視図である。
【図４】図４は、図１における基板コネクタアッセンブリの断面端面図である。
【図５】図５は、図１における基板コネクタアッセンブリのレセプタクルコネクタの拡大分解斜視図である。
【図６】図６は、図５における基板コネクタアッセンブリのレセプタクルコネクタの別の拡大分解斜視図である。
【図７】図７は、図５における基板コネクタアッセンブリのレセプタクルコネクタの第１の金属補強部材の端面図である。
【図８】図８は、図１における基板コネクタアッセンブリのプラグコネクタの拡大分解斜視図である。
【図９】図９は、図８における基板コネクタアッセンブリのプラグコネクタの別の拡大分解斜視図である。
【図１０】図１０は、図８における基板コネクタアッセンブリのプラグコネクタの第２の金属補強部材の端面図である。
【考案を実施するための形態】
【００１０】
以下、本考案にしたがう基板コネクタアッセンブリをその好ましい実施例について図面を参照して詳述する。
【００１１】
図１及び図２を参照するに、本考案に係る基板コネクタアッセンブリはレセプタクルコネクタＡとプラグコネクタＢを備えている。
【００１２】
図３及び図４をさらに参照するに、レセプタクルコネクタＡは、第１の絶縁ハウジング１０、２組の複数の第１の端子２０及び２つの第１の金属補強部材３０を備えている。
【００１３】
図５−図７に示すように、第１の絶縁ハウジング１０は、空洞１００、組立伸長突起（リッジ）１５、２つの端部取付部及び２つの通気スロット１４１を有している。
【００１４】
空洞１００は、第１の絶縁ハウジング１０に形成され、空洞１００に形成された２つの対向取付スロット１０５を有している。
【００１５】
組立伸長突起１５は空洞１００の内面上に形成され、かつその空洞１００の内面から突出しており、取付スロット１０５の間に配置されている。
【００１６】
端部取付部は、第１の絶縁ハウジング１０の２つの対向端部にそれぞれ形成され、各々の端部取付部はＵ字形であり、端部取付セクション１１及び２つの側部セクション１２を有している。２つの側部部分１２は端部取付セクション１１に接続され、各々の側部セクション１２は側部セクション１２の外面に形成された取付突起１２３を有している。
【００１７】
各々の通気スロット１４１は、２つの対向側部１４の一方と第１の絶縁ハウジング１０の底部１０７との間に形成されている。
【００１８】
２組の第１の端子２０は第１の絶縁ハウジング１０の取付スロット１０５に対応し、かつ第１の絶縁ハウジング１０の取付スロット１０５内に対向してそれぞれ装着されている。各々の第１の端子２０は、第１の取付セクション２１、埋め込みセクション２２、２つの対向弾性フック２３、２４及び第１の半田付けセクション２５を有している。
【００１９】
第１の取付セクション２１は、第１の絶縁ハウジング１０の底部１０７上に取り付けられ、通気スロット１４１の１つの下部に配置されている。
【００２０】
埋め込みセクション２２は、第１の取付セクション２１上に形成され、かつその第１の取付セクション２１から突出しており、第１の絶縁ハウジング１０内に埋め込まれている。
【００２１】
弾性フック２３、２４は第１の取付セクション２１上に形成され、かつその第１の取付セクション２１から突出し、第１の絶縁ハウジング１０の対応する取付スロット１０５内に取り付けられている。
【００２２】
第１の半田付けセクション２５は、第１の取付セクション２１上に形成され、かつその第１の取付セクション２１から突出し、第１の絶縁ハウジング１０の外に延びている。また、第１の半田付けセクション２５は、底部１０７と同一平面となることなく、第１の絶縁ハウジング１０の底部１０７から突出している。
【００２３】
第１の金属補強部材３０はそれぞれ第１の絶縁ハウジング１０の端部取付部に対応し、かつその第１の絶縁ハウジング１０の端部取付部上に取り付けられ、各々の第１の金属補強部材３０は中央セクション３１及び２つの対向延長セクション３２を有している（図５−図７）。
【００２４】
中央セクション３１は、対応する端部取付部の端部取付セクション１１上に取り付けられ、外側端部クランプタブ３１１及び少なくとも１つの内側端部クランプタブ３１２を有している。外側端部クランプタブ３１１は中央セクション３１上に形成され、かつその中央セクション３１から突出し、端部取付セクション１１の外壁１１１上に埋め込まれ、外側端部クランプタブ３１１の２つの対向側部上に形成され、かつ外側端部クランプタブ３１１の２つの対向側部から突出し、端部取付セクション１１の外壁１１１内に埋め込まれる２つの位置決め突起３１３を有している。少なくとも１つの内側端部クランプタブ３１２は中央セクション３１上に形成され、かつその中央セクション３１から突出し、端部取付セクション１１の内壁内に埋め込まれ、外側端部クランプタブ３１１と協働して端部取付セクション１１をクランプする。
【００２５】
延長セクション３２はそれぞれ中央セクション３１の２つの対向端部上に形成され、かつその中央セクション３１の２つの対向端部から突出し、それぞれ、対応する端部取付部の側部セクション１２に対応し、かつ対応する端部取付部の側部セクション１２内に埋め込まれている。各々の延長セクション３２は外側クランププレート３２１及び内側クランププレート３２２を有している。外側クランププレート３２１は延長セクション３２上に形成され、かつその延長セクション３２から突出し、対応する側部セクション１２の外側壁１２１内に埋め込まれており、外側クランププレート３２１を通って形成され、対応する側部セクション１２の取付突起１２３の周りに取り付けられるスルーホール３２３を有している。内側クランププレート３２２は延長セクション３２上に形成され、かつ延長セクション３２から突出し、対応する側面セクション１２の内壁に埋め込まれ、内側クランププレート３２２に形成された位置決め切欠き３２４を有している。
【００２６】
図１−図３、図８−図１０に示すように、プラグコネクタＢは、レセプタクルコネクタＡと着脱可能に係合され、第２の絶縁ハウジング５０、２組の複数の第２の端子６０及び２つの第２の金属補強部材７０を備えている。
【００２７】
第２の絶縁ハウジング５０は第１の絶縁ハウジング１０に着脱自在に係合され、２つの取付リブ５２、組立スロット５００及び２つの端部組立部５１を有している。
【００２８】
取付リブ５２は第２の絶縁ハウジング５０上に形成され、第１の絶縁ハウジング１０の取付スロット１０５内に着脱可能にそれぞれ取り付けられている。
【００２９】
組立スロット５００は複数の取付リブ５２の間に形成され、組立伸長突起１５を着脱可能に受入れる。
【００３０】
端部組立部５１は第２の絶縁ハウジング５０の２つの対向端部上にそれぞれ形成され、各々の端部組立部５１は端部外壁５１１及び２つの側部外壁５１２を有している。
【００３１】
２組の第２の端子６０は第２の絶縁ハウジング５０の取付リブ５２に対応し、かつその第２の絶縁ハウジング５０の取付リブ５２上にそれぞれ取り付けられている。第２の端子６０はそれぞれ第１の端子２０に対応し、かつその第１の端子２０に係合され、各々の第２の端子６０は第２の半田付けセクション６１及び弾性アーム６２を有している。
【００３２】
第２の半田付けセクション６１は対応する取付リブ５２の外に延びている。
【００３３】
弾性アーム６２はＵ字形であり、第２の半田付けセクション６１上に形成され、かつその第２の半田付けセクション６１から突出し、対応する取付リブ５２上に取り付けられ、対応する第１の端子２０の２つの弾性フック２３、２４に着脱可能に係合され、フック凹部６２１及び切り欠き面６２２を有している。フック凹部６２１は弾性アーム６２内に形成され、対応する第１の端子２０の２つの弾性フック２３、２４の一方に係合する。切り欠き面６２２はフック凹部６２１に対向して弾性アーム６２内に形成され、対応する第１の端子２０の２つの弾性フック２３、２４の他方に係合されている。
【００３４】
複数の第２の金属補強部材７０はそれぞれ第２の絶縁ハウジング５０の端部組立部５１に対応し、かつその第２の絶縁ハウジング５０の端部組立部５１内に埋め込まれ、第１の金属補強部材３０に対応し、各々の第２の金属補強部材７０は上部カバープレート７１、端部カバープレート７３及び２つの対向側部カバープレート７２を有している。
【００３５】
上部カバープレート７１は対応する端部組立部５１の上部に埋め込まれている。
【００３６】
端部カバープレート７３は、上部カバープレート７１上に形成され、対応する端部組立部５１の端部外壁５１１内に埋め込まれ、端部カバープレート７３の２つの対向側部上にそれぞれ形成され、第２の絶縁ハウジング５０内に突出る２つの端部７３１を有している。
【００３７】
複数の側部カバープレート７２は上部カバープレート７１上に形成され、対応する端部組立部５１の側部外壁５１２内にそれぞれ埋め込まれ、対応する第１の金属補強部材３０の内側クランププレート３２２に対応している。各々の側部カバープレート７２は位置決めボス７２５、延伸埋め込みタブ７２３及び半田付け脚７２１を有する。位置決めボス７２５は側部カバープレート７２上に形成され、対応する第１の金属補強部材３０の対応する内側クランププレート３２２の位置決め切欠き３２４と係合される。延伸埋め込みタブ７２３は側部カバープレート７２上に形成され、かつその側部カバープレート７２から突出し、対応する端部組立部５１の側部外壁５１２内に埋め込まれている。半田付け脚７２１は側部カバープレート７２上に形成されている。
【００３８】
本考案に係る基板コネクタアッセンブリは以下の利点を有している。
【００３９】
１．第１の金属補強部材３０が第１の絶縁ハウジング１０の端部取付部を三次元的にカバーし、第２の金属補強部材７０が第２の絶縁ハウジング５０の端部組立部５１を三次元的にカバーすることで、端部取付部及び端部組立部５１を完全に保護する。したがって、第１の絶縁ハウジング１０及び第２の絶縁ハウジング５０の構造的強度及び耐久性は改善される。このため、小型化されたリセプタクルコネクタＡ及びプラグコネクタＢは依然として十分な構造強度を維持し、係合及び係脱の方向に沿って圧力を担持することができる。基板コネクタアッセンブリは破損することなく繰り返して差込及び引張の操作を行うことができる。
【００４０】
２．レセプタクルコネクタＡの第１の金属補強部材３０及びプラグコネクタＢの第２の金属補強部材７０の金属組成は、３Amp以上の大電力供給又は信号伝送のような異なる目的に基づいて変更することができる。第２の金属補強部材７０の半田付け脚７２１は回路基板に半田付けされ、プラグコネクタを回路基板に確実に取り付けることができる。第２の金属補強部材７０の端部７３１は第２の金属補強部材７０を第２の絶縁ハウジング５０に確実に取り付けて不用意な分離を防止する。
【００４１】
３．レセプタクルコネクタＡの第１の絶縁ハウジング１０の複数の通気スロット１４１及び複数の突出する第１の半田付けセクション２５は、第１の端子２０で効率的に熱を放散し、毛細管現象に因り第１の絶縁ハウジング１０の側部に沿って半田がはい上るのを防止することができる。したがって、放熱性及び半田付けプロセスが改善される。
【符号の説明】
【００４２】
Ａ・・・レセプタクルコネクタ
Ｂ・・・プラグコネクタ
１０・・・第１の絶縁ハウジング
１１・・・端部取付セクション
１２・・・側部セクション
１４・・・側部
１５・・・組立伸長突起（リッジ）
１００・・・空洞
１０５・・・取付スロット
１０７・・・底部
１１１・・・外壁
１２１・・・外側壁
１２３・・・取付突起
１４１・・・通気スロット
２０・・・第１の端子
２１・・・第１の取付セクション
２２・・・埋め込みセクション
２３、２４・・・弾性フック
２５・・・第１の半田付けセクション
３０・・・第１の金属補強部材
３１・・・中央セクション
３２・・・延長セクション
３１１・・・外側端部クランプタブ
３１２・・・内側端部クランプタブ
３１３・・・位置決め突起
３２１・・・外側クランププレート
３２２・・・内側クランププレート
３２３・・・スルーホール
３２４・・・位置決め切欠き
５０・・・第２の絶縁ハウジング
５１・・・端部組立部
５２・・・取付リブ
５００・・・組立スロット
５１１・・・端部外壁
５１２・・・側部外壁
６０・・・第２の端子
６１・・・第２の半田付けセクション
６２・・・弾性アーム
６２１・・・フック凹部
６２２・・・切り欠き面
７０・・・第２の金属補強部材
７１・・・上部カバープレート
７２・・・側部カバープレート
７３・・・端部カバープレート
７２１・・・半田付け脚
７２３・・・延伸埋め込みタブ
７２５・・・位置決めボス
７３１・・・端部
【図１】
0003206448.tif 000003
【図２】
0003206448.tif 000004
【図３】
0003206448.tif 000005
【図４】
0003206448.tif 000006
【図５】
0003206448.tif 000007
【図６】
0003206448.tif 000008
【図７】
0003206448.tif 000009
【図８】
0003206448.tif 000010
【図９】
0003206448.tif 000011
【図１０】
0003206448.tif 000012